(57)【要約】      （修正有）【課題】エネルギーコストをかけることなく、かつ楽に日よけ面材の進退を行うことができるオーニング装置を提供する。【解決手段】オーニング装置１は、日よけ面材２と、日よけ面材２の先端部２ａを壁面に対して進退させる移動部材と、移動部材を駆動するモータ４と、日よけ面材収納位置の上側に設けられる水切り部材５と、水切り部材５の上面に設けられモータ４へ電力を供給する太陽電池６を有する。【選択図】図１
0003180953.tif 000002
【実用新案登録請求の範囲】
【請求項１】
日よけ面材と、日よけ面材の先端部を壁面に対して進退させる移動部材と、移動部材を駆動するモータと、日よけ面材収納位置の上側に設けられる水切り部材と、水切り部材の上面に設けられモータへ電力を供給する太陽電池を有するオーニング装置。
【請求項２】
太陽電池に接続された蓄電池を有し、この蓄電池によりモータを駆動する請求項１に記載のオーニング装置。
【考案の詳細な説明】
【技術分野】
【０００１】
この考案は、建築物の壁面に取り付けられ、日よけ面材を展開・収納可能に支持するオーニングに関する。
【背景技術】
【０００２】
オーニングは建築物の壁面に設けられる日よけであるが、庇のように遮光する日よけ面材が固定されておらず、必要時に展開し、不要なときには縮小する。この日よけ面材の進退は、手動や電動で行われる。手動と電動の両方の手段を備えるものもある。
【０００３】
また、特許文献１には、建築物の窓上位置の外壁部分にスライド自在に取り付けられ、建築物内部へ引き込み可能なオーニング板と、オーニング板取付位置の風向、風力を測定する風向、風力測定部と、風向、風力測定部が所定の風向から一定以上の風力を測定したときにオーニング板を建築物の内部へ引き込むオーニング板引き込み手段と、窓に組み込まれ、オーニング板引き込み手段駆動用電源を供給する太陽電池と、を有する、ことを特徴とするスライド式オーニングが記載されている。そして、窓にオーニング板引き込み手段駆動用電源を供給する太陽電池が組み込まれている（同文献００１５段落、００２２段落、図１、図２）。
【先行技術文献】
【特許文献】
【０００４】
【特許文献１】実開平５−１６９５９号公開実用新案公報
【考案の概要】
【考案が解決しようとする課題】
【０００５】
従来のオーニング装置では、日よけ面材の進退は、手動や電動で行われる。しかし、日よけ面材の進退を手動で行うのは面倒な作業である。毎朝晩に行うとなれば、負担が大きい。さらに、高層ビルの上階に設置するような場合、手動の手段を設けにくい。あえて、手動にするためには、地上から上階までに長い連結部材を設ける必要がある。
【０００６】
電動で日よけ面材の進退を行う場合、電力を消費することになる。また、室内から室外に渡る電力線を設ける必要があり、設置においては建物の壁面に穴を開ける工事が必要となる。
【０００７】
特許文献１に記載のスライド式オーニングによれば、オーニング板駆動用のエネルギー源として太陽電池を採用することで、太陽熱エネルギーをそのまま動力用に使用できるので、ランニングコストの著しい低減が図れる、とされる（同文献００３１段落）。しかし、窓は採光や通風のために設けられるものであり、太陽電池で窓を覆えば採光や通風が行えない。さらに、窓や窓枠はオーニング板が展開している時には日陰になっている。このような場所に太陽電池を設けても、ほとんど発電することができない。多くのオーニング装置では展開している日よけ面材を後退させるときにより強い力が必要とされるが、特許文献１に記載のスライド式オーニングではその時に太陽電池は日陰になっていているので、オーニング板の駆動を行うことができない。したがって、特許文献１に記載の考案は、実施不可能なものである。
【０００８】
この考案は、エネルギーコストをかけることなく、かつ楽に日よけ面材の進退を行うことができるオーニング装置を提供することを目的とする。
【課題を解決するための手段】
【０００９】
上述の課題を解決するため、この考案のオーニング装置は、日よけ面材と、日よけ面材の先端部を壁面に対して進退させる移動部材と、移動部材を駆動するモータと、日よけ面材収納位置の上側に設けられる水切り部材と、水切り部材の上面に設けられモータへ電力を供給する太陽電池を有する。さらに、太陽電池に接続された蓄電池を有し、この蓄電池によりモータを駆動することが好ましい。
【考案の効果】
【００１０】
この考案のオーニング装置は、水切り部材の上面に設けられた太陽電池により効果的に発電し、エネルギーコストをかけることなく、日よけ面材の先端部を壁面に対して進退させることができる。
【図面の簡単な説明】
【００１１】
【図１】オーニング装置の概要を示す斜視図である。
【考案を実施するための形態】
【００１２】
この考案を実施するための形態について図面に基づいて説明する。図１はオーニング装置の概要を示す斜視図である。オーニング装置１は、日よけ面材２と、日よけ面材２の先端部２ａを壁面に対して進退させる移動部材３と、移動部材３を駆動するモータ４と、日よけ面材収納位置の上側に設けられる水切り部材５と、水切り部材５の上面に設けられモータ４へ電力を供給する太陽電池６を有する。
【００１３】
日よけ面材２として、遮光性のシートが用いられる。このシートは水切りカバー（水切り部材５）の内部にロール状に収められている。日よけ面材２の先端部２ａには、レールが設けられている。
【００１４】
移動部材３はリンク機構を有する部材であり、一端部は日よけ面材２の先端部２ａのレールに接続され、他端部は水切りカバー５の直下付近に接続されている。移動部材３は２本のアーム３ａ，３ｂがリンク状に接続されたものである。この移動部材３は日よけ面材２の左右にそれぞれ設けられ、日よけ面材２を庇状に支持する。この接続点３ｃにおいて２本のアーム３ａ，３ｂの角度θが開くような力がかけられている。したがって、移動部材３は日よけ面材２の先端部２ａを押し出そうとし、日よけ面材２が張った状態で支持する。そして、日よけ面材２の先端部２ａの進退に対してアーム３ａ，３ｂの角度θを変えて追随する。また、アーム３ａの先端部は日よけ面材２の先端部２ａのレール上を移動可能に接続されている。
【００１５】
水切りカバー５の内部にはモータ４が設けられており、日よけ面材２が巻かれた軸に接続されている。したがって、モータ４により日よけ面材２が巻かれたロールが回転し、日よけ面材２が引き出されたり、あるいは、巻き取られる。
【００１６】
水切り部材５は日よけ面材２の収納位置の上部を覆う部材であり、日よけ面材２や建物の窓に雨水がかからないようにするためのものである。ここでは箱状の水切りカバーが使用されているが、板状の部材であってもよい。そして、この日よけ面材２の上面に太陽電池６が取り付けられている。
【００１７】
太陽電池６はモータ４に直接接続されていてもよいが、ここでは水切り部材５の下側に蓄電池７を設け、この蓄電池７に太陽電池６を接続している。蓄電池７はまたモータ４にも接続されている。太陽電池６により発電された電気エネルギーは一旦蓄電池７に蓄積され、その電気エネルギーがモータ４の駆動に使用される。したがって、日照中に充電しておけば、暗くなってからでもモータ４を駆動することができる。
【００１８】
このモータ４の制御は、従来の電動式オーニングと同じ技術を使用することができるので、詳細は避ける。地上近くまでケーブルを伸ばし、使用者が操作しやすい位置に操作盤を設けてもよいし、リモートコントロールを使用してもよい。
【００１９】
モータ４の横には手動操作用のギア８が設けられており、外側のフック９に連結されている。このフック９にクランク棒１０の先端をかけ、クランク棒１０を回転することにより、日よけ面材２のロールを回転させることができる。したがって、蓄電池７が十分に充電できていないときなどには、手動により日よけ面材２の展開や収納を行うことができる。
【００２０】
日よけ面材２、移動部材３、モータ４、水切り部材５、太陽電池６、蓄電池７やこれらを建物に取り付ける金具などをセットとして、オーニング装置として提供することができる。これらの部材により構成されるオーニング装置１は、簡単な作業で設置することができる。
【００２１】
日よけ面材２の展開は、アーム３ａ，３ｂが開こうとする作用により、簡単に行うことができる。リモートコントロールや操作盤の操作により日よけ面材２の展開が支持されたら、日よけ面材２のロールの回転の規制を開放すればよい。アーム３ａ，３ｂが伸展し、これによって日よけ面材２の先端が外向きに押し出され、日よけ面材２が庇状に展開する。なお、日よけ面材２の先端を中間的な位置に止めることができるようにしてもよく、季節や天気に合わせて日よけ面材２の張り出し具合を調整してもよい。
【００２２】
日よけ面材２を巻き取るときも、リモートコントロールや操作盤の操作によりモータ４を回転させればよい。モータ４の回転により日よけ面材２の先端部２ａはアーム３ａ，３ｂが開こうとする力に逆らって引き戻され、水切り部材５の中に巻き込まれる。太陽電池６により発電された電力を使用するので、電気代がかからない。また、蓄電池７に充電された電力を使用するので、すでに暗くなって太陽電池６が発電しなくなっていても作動させることができる。
【符号の説明】
【００２３】
１．オーニング装置
２．日よけ面材
３．移動部材
４．モータ
５．水切り部材
６．太陽電池
７．蓄電池
【図１】
0003180953.tif 000003